(57)【要約】【課題】株元搬送フレームと穂先搬送フレームとを、連結フレームを介して強固な排藁搬送枠として構成することにより、排藁搬送動作において変形や、よじれを生ずることがなく、スムーズな上部カバー体の開閉を長期に亘って維持することができる脱穀機における排藁搬送装置を提供する。【解決手段】排藁搬送体８を、離間並設した株元搬送フレーム１９と穂先搬送フレーム２０とを連結フレーム２１を介して連結して構成し、かつ両フレームの搬送始端側８ｂを、上部カバー体１１後端の株側に回動自在に支持すると共に、上記穂先搬送フレーム２０の搬送終端側を、平面視で支点軸１７の延長線上を穂側に通過させた位置で機体側に融通移動可能に支持した。【選択図】　　　　図３
2004141093.tif 000002
【特許請求の範囲】
【請求項１】
回転可能な扱胴を内装した扱室の入口側板と出口側板との間を、該扱室の穂側に支点軸を設けた上部カバー体で覆い、かつ脱穀済の排藁を搬送する排藁搬送体の搬送始端側を、当該上部カバー体に一体的に支持すると共に、上記排藁搬送体の搬送終端側を、平面視で前記支点軸の延長線上を穂側に通過させた位置まで延出し、上記支点軸を中心とする上部カバー体の開放作動に連動して排藁搬送体を上動可能に構成した脱穀機において、上記排藁搬送体は、離間並設した株元搬送フレームと穂先搬送フレームとを連結フレームを介して連結してなり、該両フレームの搬送始端側を、上部カバー体後端の株側に回動自在に支持すると共に、上記穂先搬送フレームの搬送終端側を、平面視で前記支点軸の延長線上を穂側に通過させた位置で機体側に融通移動可能に支持し、上部カバー体を開放作動した際に、搬送終端側の下降を規制した状態で、その融通移動を可能にしながら排藁搬送体を上動するように構成したことを特徴とする脱穀機における排藁搬送装置。
【請求項２】
上記排藁搬送体の搬送終端側には、棒状の支持杆が一体に突設され、これに下方から当接する支持体を機体側に配設して、上部カバー体とともに上動する排藁搬送体の搬送終端側を、支持体上に摺接する支持杆で下降を規制しながら、融通移動させるように構成したことを特徴とする請求項１記載の脱穀機における排藁搬送装置。
【請求項３】
機体側に配設される上記支持体は横長ループ状に形成され、そのループ内に遊嵌した支持杆を介して、排藁搬送体の搬送終端側を支持するように構成されていることを特徴とする請求項２に記載の脱穀機における排藁搬送装置。
【発明の詳細な説明】
【０００１】
【発明の属する技術分野】本発明は、コンバイン及びハーベス等に搭載可能な脱穀機における排藁搬送装置に関する。
【０００２】
【従来の技術】従来、コンバイン等に搭載される脱穀機は、例えば特開平６ー２２６３０号公報に開示されているように、扱胴を回転可能に内装軸支した扱室ケースを脱穀機体の支点軸に枢支させて、上下揺動回動可能となるように構成したものが公知である。上記公報の構造によれば、脱穀処理された排藁を既刈り地側に向けて後方斜め方向に搬送する排藁搬送体を、その搬送終端側が前記扱室ケースの支点軸よりも前位に設置した状態で、その始端部側を伝動機構に支持すると共に、中間部を扱室ケースから後方へ延設した支持フレームに一体的に固定支持し、扱室ケースを上方に回動したときに排藁搬送体を共に一体的に上動させて、扱室内及び排藁搬送体の下方を開放させることにより、この部の清掃及び保守点検等のメンテナンス作業を行うように構成している。
【０００３】
しかしながら、上記従来構成のものでは、扱室ケースを上方へ回動することで排藁搬送体を共に上動させて、扱室内及び排藁搬送体部の脱穀夾雑物や排藁の詰まりの除去等のメンテナンスを行い易くできるものの、排藁搬送体は扱室ケースと一体的に固定支持されているため、その搬送終端側を前記扱室ケースの回動支点軸より後方に長く延出することができない欠点がある。即ち、排藁搬送体の搬送終端側を回動支点軸よりも後方に長くすると、排藁搬送体が扱室ケースと共に上動する際に、該搬送終端側は上記回動支点軸を中心に下方に下降回動することになり、脱穀機の後部天板或いは排藁カッター等の排稈処理装置に接当し、扱室ケースの上動に制約を与えると共に接当各部の損傷を生ずる等の問題があり、それ故に排藁搬送体は公報のもののように短く構成すると、排藁を既刈り地側に向けて充分に搬送することができず、例えば排稈処理装置で切断される切り藁等を未刈り地側に的確に落下排出することが不十分となり、円滑な刈取脱穀作業を困難にする等の問題を内包するものであった。
【０００４】
そこで本出願人は、排藁を既刈り地側適正位置に排出可能とする充分な長さの排藁搬送体にすると共に、該排藁搬送体の搬送終端側を融通規制可能に支持することにより、良好なメンテナンス作業を行うことができる脱穀機における排藁搬送装置を提案した（特開平８−３０８３６６号公報）。
【０００５】
【発明が解決しようとする課題】
本発明は、上記の如き実状に鑑み脱穀機の良好なメンテナンス性をより一層向上させる研究、開発の過程で創案されたものであって、その意図するところは、株元搬送フレームと穂先搬送フレームとを、連結フレームを介して強固な排藁搬送枠として構成することにより、排藁搬送動作において変形や、よじれを生ずることがなく、スムーズな上部カバー体の開閉を長期に亘って維持することができると共に、上部カバー体の開放に伴う機械的な動作抵抗を可及的に少なくしてメンテナンスを容易に行うことができる脱穀機における排藁搬送装置を提供しようとするものである。
【０００６】
【課題を解決するための手段】
上記課題を解決するため、本発明が採用した第１の技術的手段は、回転可能な扱胴を内装した扱室の入口側板と出口側板との間を、該扱室の穂側に支点軸を設けた上部カバー体で覆い、かつ脱穀済の排藁を搬送する排藁搬送体の搬送始端側を、当該上部カバー体に一体的に支持すると共に、上記排藁搬送体の搬送終端側を、平面視で前記支点軸の延長線上を穂側に通過させた位置まで延出し、上記支点軸を中心とする上部カバー体の開放作動に連動して排藁搬送体を上動可能に構成した脱穀機において、上記排藁搬送体は、離間並設した株元搬送フレームと穂先搬送フレームとを連結フレームを介して連結してなり、該両フレームの搬送始端側を、上部カバー体後端の株側に回動自在に支持すると共に、上記穂先搬送フレームの搬送終端側を、平面視で前記支点軸の延長線上を穂側に通過させた位置で機体側に融通移動可能に支持し、上部カバー体を開放作動した際に、搬送終端側の下降を規制した状態で、その融通移動を可能にしながら排藁搬送体を上動するように構成したことを特徴とし、第２の技術的手段として、上記排藁搬送体の搬送終端側には、棒状の支持杆が一体に突設され、これに下方から当接する支持体を機体側に配設して、上部カバー体とともに上動する排藁搬送体の搬送終端側を、支持体上に摺接する支持杆で下降を規制しながら、融通移動させるように構成したことを特徴とし、第３の技術的手段として、機体側に配設される上記支持体は横長ループ状に形成され、そのループ内に遊嵌した支持杆を介して、排藁搬送体の搬送終端側を支持するように構成されていることを特徴とするものである。
【０００７】
【発明の実施の形態】
本発明の実施の形態を図面に基づいて詳細に説明する。
図において、１はコンバイン等の走行機体に搭載可能な脱穀機であって、該脱穀機１は、機体前方に設けた刈取部（図示せず）の後方に配設されるものであり、脱穀機１に形成した穀稈供給口１ａに刈取穀稈を供給し、扱室２内の扱胴２ａで脱穀処理すると共に、受網２ｂを介して揺動選別部３内に漏下した穀粒及び夾雑物のうち、穀粒は揺動選別体４のクリンプ網４ａを介して選別回収され、夾雑物は送風ファン５及び副送風ファン５ａの選別風で後方のストローラック６に送られ、該ストローラック６上の夾雑物を吸引ファン７の吸引作用によって、排塵口７ａから機外後方へ放出するようにしている。
【０００８】
また、上記揺動選別部２の上方でかつ脱穀機１の後方には、機体の一側前方から他側後方に臨ませて後述の排藁搬送体８が平面視で後方穂側に向けて斜設されており、機体前方から刈取搬送される穀稈の穂先側を脱穀機１内に介入させたまま、その株元側をフィードチェン９と挟持レール１０で後送し、上記排藁搬送体８に継送して搬送終端側８ａからそのまま既刈り地側へ排出するか、或いは脱穀機１の後部に装着される排稈カッタ（図示せず）に供給し、切断された切藁を機体の既刈り地側に的確に放出するようにしている。
【０００９】
上記扱室２は、その上部を覆う上部カバー体１１の両側面に入口側板１２ａ、出口側板１２ｂを所定間隔を存して固着してなる扱室ケース１３と、扱胴２ａの下部側に位置する下部枠体１４とから形成されており、上記扱室ケース１３内には両側板１２ａ、１２ｂを貫通する回動軸１５を介して扱胴２ａが回転自在に軸支されていると共に、上記下部枠体１４の上部一側には、扱室ケース１３の穂側寄りで当該扱室ケース１３の回動基端側を軸支する支点軸１７が軸架されており、この支点軸１７を中心として扱室ケース１３を、扱胴２ａおよび排藁搬送体８と共に上下揺動回動可能に支持する構成としている。
【００１０】
また上記支点軸１７は、出口側板１２ｂの背面から後方に位置する排藁搬送体８の搬送終端側８ａに至る間で延設されており、かつその先端部には本体フレームｂが接続されていると共に、上記本体フレームｂの中間部には、排藁搬送体８の搬送終端側８ａ側を融通移動可能に支持する後述の融通支持機構１８が装着されており、前記扱室ケース１３、すなわち上部カバー体１１が支点軸１７を中心に開放作動した際に、これに連動して回動する排藁搬送体８が融通支持機構１８を支点として上動するとき、その搬送終端側８ａが下方に大きく下降しないように規制する構成となっている。
【００１１】
ここで前記排藁搬送体８は、株元搬送チェン１９ａを巻回した株元搬送フレーム１９と穂先搬送チェン２０ａを巻回した穂先搬送フレーム２０とを連結フレーム２１を介して連結してなり、該両フレーム１９、２０の搬送始端側、すなわち排藁搬送体８の搬送始端側８ｂは、上部カバー体１１の出口側板１２ｂに、その株側に設けたブラケット２２と排藁ギヤケース２３を介して一体的かつ回動自在に支持されていると共に、上記搬送終端側８ａは、平面視で前記支点軸１７の延長線上を穂側に通過させた位置まで延出しており、上記搬送終端側８ａに位置する穂先搬送フレーム２０の搬送終端側に位置する内側には棒状の支持杆２４が一体に突設されている。
【００１２】
更に上記穂先搬送フレーム２０の内側には、平面視で支点軸１７の先端側に対して平行状をなす係止杆２５が斜設されており、当該支点軸１７の先端に設けた係脱自在なフック２６、２６´との係合により排藁搬送体８の上動を規制するストッパ機構Ｓが設けられていると共に、上記支点軸１７先端と本体フレームｂとの接続位置には、図６に示すように、一組のＬ型材を組み合わせて横長ループ状に形成された支持体２７が配設されて、当該支持体２７のループ２７ａ内に前記支持杆２４を遊嵌させて、上部カバー体１１とともに排藁搬送体８を上動させた際に、上記支持体２７のループ２７ａ内で摺接する支持杆２４を介して、搬送終端側８ａの下降を規制しつつ、その融通移動を可能にしながら排藁搬送体８を上動するように融通支持機構１８が構成されている。
【００１３】
なお、２８は補強フレーム、２９は伝動ベルト、３０は開閉レバーであって、上記補強フレーム２８は中空パイプからなり、出口側板１２ｂの後面と排藁搬送体８との中間部に位置して排藁搬送体８と平行状に回動自在に設けられており、上記補強フレーム２８の基端側は支点軸１７の延設部位に軸装されていると共に、その先端はブラケット２２に固着され、上記支点軸１７を回動中心として扱室ケース１３が上下動する際に、補強フレーム２８により出口側板１２ｂを側面から支持するように構成されている。伝動ベルト２９は、扱胴２ａを軸支する回動軸１５の駆動プーリ１６と、排藁ギヤケース２３の入力プーリ２３ａとの間に巻回されており、該伝動ベルト２９から排藁ギヤケース２３を経て排藁搬送体８の株元搬送チェン１９ａ、穂先搬送チェン２０ａにそれぞれ駆動力を伝達するようになっている。また、開閉レバー３０は、出口側板１２ｂに併設したリンク機構３１を介して前記フック２６、２６´に連結されており、該開閉レバー３０の解除操作により、各フック２６、２６´と係止杆２５との係合を解き、排藁搬送体８の上動規制を解除するようになっている。
【００１４】
叙上の如き構成において、脱穀機１の穀稈供給口１ａから扱室２内に供給された刈取穀稈は、その株元側をフィードチェン９により挟持搬送されて扱胴２ａで脱穀処理され、漏下した穀粒及び夾雑物は受網２ｂを漏下して揺動選別部３で選別処理を施されると共に、脱穀済の排藁はフィードチェン９から排藁搬送体８の始端部に継送されて、その搬送終端側から既刈り地側へそのまま放出搬送される状態と、図示しない排藁カッタへ送給されて切断排出される状態とに選択されて排藁後処理される。
【００１５】
このような脱穀作業において、扱胴２ａに排藁屑が絡み付いたり扱室２下方に張設した受網２ｂに目詰まり等を生じた場合には、図１に示す通常の脱穀作業位置にある扱室ケース１３を、図２の二点鎖線および図３に示すように、開閉レバー３０を矢印方向の上動側に解除操作して、フィードチェン９側（株側）から扱室２を開放するように開動操作する。このとき、ストッパ機構Ｓが解除されて、フック２６、２６´の係止杆２５に対する係合が解かれ、排藁搬送体８の上動開放が可能となり、該排藁搬送体８を上部カバー体１１および扱室ケース１３とともに速やかに上動させることができる。
【００１６】
上記操作により扱室ケース１３が支点軸１７を中心に上動されると、排藁搬送体８は出口側板１２ｂの株側に設けたブラケット２２と排藁ギヤケース２３を介して、搬送終端側８ａの支持杆２４を支持体２７のループ２７ａ内に支持した状態で同時に上動され、扱室ケース１３内の扱胴２ａや受網２ｂ、並びに挟持レール１０等の上方を開放することができるので、扱室２内と排藁搬送体８等の点検、清掃等のメンテナンス作業を容易に行うことができる。
【００１７】
この時、搬送終端側８ａは穂先搬送フレーム２０から突設した支持杆２４を支持体２７のループ２７ａ内に支持させているので、その延出方向の変位移動Ｘは、図７に示すように、当該ループ２７ａ内で許容する一方、上下方向の回動変位は支持体２７の上下高さＹ内で許容され、支持杆２４の支持体２７に対する摺動移動で発生する摺動抵抗を可及的に低減して、の搬送終端側８ａが大きく下降変位しない規制状態で、排藁搬送体８の上動回動を円滑に行えると共に、上記排藁搬送体８は、離間並設した株元搬送フレーム１９と穂先搬送フレーム２０とを連結フレーム２１を介して連結して構成されているので、機体走行時の振動等に対して強固な剛性を維持することができ、安定よく支持させて円滑な排藁搬送動作を確保することができる。
【００１８】
したがって排藁搬送体８は、その上動回動時に搬送終端側８ａが脱穀機体や排稈処理装置等に接当することがなく、支点軸１７よりも後方に所望に応じた延出構成とすることができ、排藁を既刈り地側に良好に排出させることが容易にできることとなり高性能なコンバイン作業を提供することが可能となる。
【００１９】
そして、上記のようにしてメンテナンス作業を終えた後は、開閉レバー３０を引下げ操作することにより、扱室ケース１９の下降とともに排藁搬送体８が通常の排藁搬送位置まで下降して、フック２６、２６´と係止杆２５との係合が復帰して元の安定支持状態に固定され、通常の良好な排藁搬送作業を再び開始することができる。
【００２０】
【発明の効果】
これを要するに本発明は、回転可能な扱胴を内装した扱室の入口側板と出口側板との間を、該扱室の穂側に支点軸を設けた上部カバー体で覆い、かつ脱穀済の排藁を搬送する排藁搬送体の搬送始端側を、当該上部カバー体に一体的に支持すると共に、上記排藁搬送体の搬送終端側を、平面視で前記支点軸の延長線上を穂側に通過させた位置まで延出し、上記支点軸を中心とする上部カバー体の開放作動に連動して排藁搬送体を上動可能に構成した脱穀機において、上記排藁搬送体は、離間並設した株元搬送フレームと穂先搬送フレームとを連結フレームを介して連結してなり、該両フレームの搬送始端側を、上部カバー体後端の株側に回動自在に支持すると共に、上記穂先搬送フレームの搬送終端側を、平面視で前記支点軸の延長線上を穂側に通過させた位置で機体側に融通移動可能に支持し、上部カバー体を開放作動した際に、搬送終端側の下降を規制した状態で、その融通移動を可能にしながら排藁搬送体を上動するように構成したから、
▲１▼上部カバー体がその支点軸を中心とする上下回動に伴い、排藁搬送体をその搬送終端側の融通支持機構を支点に上下回動させて、扱室及び排藁搬送体下方を広く開放することができるので、点検、保守等のメンテナンス作業性を向上させることができ、また、排藁搬送体が上動される際に搬送終端側は融通支持機構により、その延出方向の変位移動及び回動等の変位を許容しながら、搬送終端側を大きく下降させることを未然に防止して、排藁搬送体の円滑な上動回動と排藁搬送体を既刈り地側適正位置に排藁を排出可能とする充分な長さに形成することができる。
ものでありながら、更に
▲２▼株元搬送フレームと穂先搬送フレームとの間を連結フレームで連結したので、強固な排藁搬送枠を簡易に構成することができ、排藁搬送動作において変形や、よじれを生ずることがなく、スムーズな上部カバー体の開閉を長期に亘って維持することができる。
▲３▼排藁搬送体は、これを構成する排藁搬送枠の搬送始端側と搬送終端側を、上部カバー体の株側と融通機構にそれぞれ両持ち支持されているので、スムーズな上部カバー体の開閉作動を保持することができ、しかも搬送終端側は固定化された連結状態ではないので、連結した場合に生じる機械的な動作抵抗を可及的に少なくすることができる。
▲４▼排藁搬送体を、平面視で前記支点軸の延長線上を穂側に通過させた位置まで延出した全長の長い排藁搬送体の構成とした場合でも、上記支点軸を中心とする上部カバー体の開放作動とともに排藁搬送体を上動させた際、その搬送終端側が下方に大きく下降しないので、当該排藁搬送体の下方に配設した排藁カッター装置や後部カバー等との接触を一掃することができる。
▲５▼支持体を横長ループ状に形成してそのループ内に支持杆を遊嵌したので、支持杆の融通移動を許すものでありながら支持杆が支持体から外れるのを未然に防止して、確実に当該支持杆を融通範囲内に留めておくができると共に、上動した排藁搬送体を下降させて通常の作業状態に復帰させた際に、その下方の搬送部内に排藁が残留していても、支持体のループ内で規制される支持杆により、排藁搬送体の搬送終端側が残留排藁で浮き上がるのを未然に防止することができる。
等という極めて有用な新規的効果を奏するものである。
【図面の簡単な説明】
【図１】脱穀機の側断面図である。
【図２】脱穀機の後面図である。
【図３】扱室ケースの開放状態を示す後方斜視図である。
【図４】要部平面図である。
【図５】要部拡大平面図である。
【図６】（ａ）は支持体の要部正面図、（ｂ）は同上左側面図、（ｃ）は同上平面図である。
【図７】（ａ）は支持体のループ内に支持杆を支持させた状態を示す要部斜視図、（ｂ）は同上側面から見た作用説明図である。
【符号の説明】
１　　　脱穀機
２ａ　　扱胴
２　　　扱室
８　　　排藁搬送体
８ｂ　　搬送始端側
８ａ　　搬送終端側
１１　　上部カバー体
１２ａ　入口側板
１２ｂ　出口側板
１７　　支点軸
２１　　連結フレーム
２４　　支持杆
２７　　支持体
２７ａ　ループ
【図１】
2004141093.tif 000003
【図２】
2004141093.tif 000004
【図３】
2004141093.tif 000005
【図４】
2004141093.tif 000006
【図５】
2004141093.tif 000007
【図６】
2004141093.tif 000008
【図７】
2004141093.tif 000009